【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
食用ペット向け噛み物において、
ａ．該噛み物の１５から９０質量％の量の線維性タンパク質、
ｂ．該噛み物の５から３５質量％の量の吸水性ポリマーであって、ゲル化タンパク質、親水コロイド、食用ヒドロゲル、およびそれらの混合物からなる群より選択される吸水性ポリマー、
ｃ．該噛み物の５から４０質量％の量の可塑剤、
ｄ．該噛み物の１から２０質量％の量の水、および
ｅ．緑色を生じる、アントシアニンとターメリックとの組合せ、
を含むペット向け噛み物。
【請求項２】
前記アントシアニンが、ブルーベリー、クランベリー、ビルベリーなどのスノキ属；ブラックラズベリー、レッドラズベリー、およびブラックベリーを含むキイチゴ属；クロフサスグリ；チェリー；なすの皮；う稲；コンコードブドウ；マスカダインブドウ；赤キャベツ；紫色の花弁；黒豆；ブラックチョコベリーの皮；アサイー(Amazonian palm berry)；ブラッドオレンジ；マリオンブラックベリー；チェリー；アカフサスグリ；紫トウモロコシ；およびアサイー(acai)からなる群の少なくとも１つに由来する、請求項１記載の食用ペット向け噛み物。
【請求項３】
前記アントシアニンが、該アントシアニンを青に見えるようにするｐＨを有する、請求項２記載の食用ペット向け噛み物。
【請求項４】
前記アントシアニンの供給源が赤キャベツである、請求項２記載の食用ペット向け噛み物。
【請求項５】
前記赤キャベツの供給源が８から９のｐＨを有する、請求項４記載の食用ペット向け噛み物。
【請求項６】
前記ターメリックが、該ターメリックを黄に見えるようにするｐＨを有する、請求項１記載の食用ペット向け噛み物。
【請求項７】
前記ターメリックが４．５から６．５のｐＨを有する、請求項６記載の食用ペット向け噛み物。
【請求項８】
前記アントシアニンが青色を提供し、前記ペット向け噛み物の前記緑色に寄与するように、該ペット向け噛み物のｐＨを安定化するように適合されたｐＨ安定剤をさらに含む、請求項１記載の食用ペット向け噛み物。
【請求項９】
前記ｐＨ安定剤が酵素をさらに含む、請求項８記載の食用ペット向け噛み物。
【請求項１０】
前記アントシアニンと前記ターメリックの合計量が、前記噛み物の０．００５質量％から５．０質量％を占める、請求項１記載の食用ペット向け噛み物。
【請求項１１】
前記アントシアニンと前記ターメリックの組合せにより生じる緑色が、Ｐ１６３−１４ＵからＰ１６５−１６Ｕのパントン・リファレンス範囲を有する、請求項１記載の食用ペット向け噛み物。
【請求項１２】
前記アントシアニンと前記ターメリックの組合せにより生じる緑色が、４９０ｎｍから５６０ｎｍの波長を有する、請求項１記載の食用ペット向け噛み物。
【請求項１３】
前記ペット向け噛み物の溶解度が少なくとも６０％のインビトロ消失（ＩＶＤ）である、請求項１記載の食用ペット向け噛み物。
【請求項１４】
該噛み物の５質量％未満の量のデンプンをさらに含む、請求項１記載の食用ペット向け噛み物。
【請求項１５】
食用ペット向け噛み物を調製する方法において、
ａ．ペット向け噛み物組成物を形成する工程であって、
該組成物の１５から９０質量％の量の線維性タンパク質と、
該組成物の５から３５質量％の量の吸水性ポリマーであって、ゲル化タンパク質、親水コロイド、食用ヒドロゲル、およびそれらの混合物からなる群より選択される吸水性ポリマーと、
該組成物の５から４０質量％の量の可塑剤と、
該組成物の１から２０質量％の量の水と、
緑色を生じる量の、アントシアニンとターメリックとの組合せ、
を混ぜ合わせることによる工程、
ｂ．前記ペット向け噛み物組成物を可塑化する工程、および
ｃ．可塑化された前記ペット向け噛み物組成物を成形して、ペット向け噛み物を形成する工程、
を有してなる方法。
【手続補正２】
【補正対象書類名】明細書
【補正対象項目名】０１１１
【補正方法】変更
【補正の内容】
【０１１１】
結果および結論：
実施例５のペット向け噛み物の配合物は、市場で現在入手可能なペット向け噛み物と比べて、改善された消化率および溶解度を示す。さらに、それらは天然の緑色を提供する。
他の実施態様
１．食用ペット向け噛み物において、
ａ．該噛み物の約１５から約９０質量％の量の線維性タンパク質、
ｂ．該噛み物の約５から約３５質量％の量の吸水性ポリマーであって、ゲル化タンパク質、親水コロイド、食用ヒドロゲル、およびそれらの混合物からなる群より選択される吸水性ポリマー、
ｃ．該噛み物の約５から約４０質量％の量の可塑剤、
ｄ．該噛み物の約１から約２０質量％の量の水、および
ｅ．緑色を生じる、アントシアニンとターメリック、
を含むペット向け噛み物。
２．前記アントシアニンが、ブルーベリー、クランベリー、ビルベリーなどのスノキ属；ブラックラズベリー、レッドラズベリー、およびブラックベリーを含むキイチゴ属；クロフサスグリ；チェリー；なすの皮；う稲；コンコードブドウ；マスカダインブドウ；赤キャベツ；紫色の花弁；黒豆；ブラックチョコベリーの皮；アサイー(Amazonian palm berry)；ブラッドオレンジ；マリオンブラックベリー；チェリー；アカフサスグリ；紫トウモロコシ；およびアサイー(acai)からなる群の少なくとも１つに由来する、実施態様１記載の食用ペット向け噛み物。
３．前記アントシアニンが、該アントシアニンを青に見えるようにするｐＨを有する、実施態様２記載の食用ペット向け噛み物。
４．前記アントシアニンの供給源が赤キャベツである、実施態様２記載の食用ペット向け噛み物。
５．前記赤キャベツの供給源が約８から９のｐＨを有する、実施態様４記載の食用ペット向け噛み物。
６．前記ターメリックが、該ターメリックを黄に見えるようにするｐＨを有する、実施態様１記載の食用ペット向け噛み物。
７．前記ターメリックが４．５から６．５のｐＨを有する、実施態様６記載の食用ペット向け噛み物。
８．前記アントシアニンが青色を提供し、前記ペット向け噛み物の前記緑色に寄与するように、該ペット向け噛み物のｐＨを安定化するように適合されたｐＨ安定剤をさらに含む、実施態様１記載の食用ペット向け噛み物。
９．前記ｐＨ安定剤が酵素をさらに含む、実施態様８記載の食用ペット向け噛み物。
１０．前記アントシアニンと前記ターメリックの合計量が、前記噛み物の約０．００５質量％から５．０質量％を占める、実施態様１記載の食用ペット向け噛み物。
１１．前記アントシアニンと前記ターメリックの合計量が、前記噛み物の約０．００５質量％から４．０質量％を占める、実施態様１０記載の食用ペット向け噛み物。
１２．前記アントシアニンと前記ターメリックの合計量が、前記噛み物の約０．００５質量％から３．０質量％を占める、実施態様１０記載の食用ペット向け噛み物。
１３．前記アントシアニンと前記ターメリックの合計量が、前記噛み物の約０．００５質量％から２．０質量％を占める、実施態様１０記載の食用ペット向け噛み物。
１４．前記アントシアニンと前記ターメリックの合計量が、前記噛み物の約０．００５質量％から１．０質量％を占める、実施態様１０記載の食用ペット向け噛み物。
１５．前記アントシアニンと前記ターメリックの合計量が、前記噛み物の約０．００５質量％から０．０４５質量％を占める、実施態様１０記載の食用ペット向け噛み物。
１６．前記アントシアニンと前記ターメリックの組合せにより生じる緑色が、約Ｐ１６３−１４Ｕから約Ｐ１６５−１６Ｕのパントン・リファレンス範囲を有する、実施態様１記載の食用ペット向け噛み物。
１７．前記アントシアニンと前記ターメリックの組合せにより生じる緑色が、約５６０ｎｍから４９０ｎｍの波長を有する、実施態様１記載の食用ペット向け噛み物。
１８．前記アントシアニンと前記ターメリックの組合せにより生じる緑色が、５４０ＴＨｚから６１０ＴＨｚの周波数を有する、実施態様１記載の食用ペット向け噛み物。
１９．前記ペット向け噛み物の溶解度が少なくとも６０％のインビトロ消失（ＩＶＤ）である、実施態様１記載の食用ペット向け噛み物。
２０．熱可塑化成形ペット向け噛み物を調製するための食用ペット向け噛み物組成物において、
ａ．該組成物の約１５から約９０質量％の量の線維性タンパク質、
ｂ．該組成物の約５から約３５質量％の量の吸水性ポリマーであって、ゲル化タンパク質、親水コロイド、食用ヒドロゲル、およびそれらの混合物からなる群より選択される吸水性ポリマー、
ｃ．該組成物の約５から約４０質量％の量の可塑剤、
ｄ．該組成物の約１から約２０質量％の量の水、および
ｅ．緑色を生じる、アントシアニンとターメリック、
を含む食用ペット向け噛み物組成物。
２１．約５％未満の量のデンプンをさらに含む、実施態様２０記載の食用ペット向け噛み物組成物。
２２．前記アントシアニンが、ブルーベリー、クランベリー、ビルベリーなどのスノキ属；ブラックラズベリー、レッドラズベリー、およびブラックベリーを含むキイチゴ属；クロフサスグリ；チェリー；なすの皮；う稲；コンコードブドウ；マスカダインブドウ；赤キャベツ；紫色の花弁；黒豆；ブラックチョコベリーの皮；アサイー(Amazonian palm berry)；ブラッドオレンジ；マリオンブラックベリー；チェリー；アカフサスグリ；紫トウモロコシ；およびアサイー(acai)からなる群の少なくとも１つに由来する、実施態様２０記載の食用ペット向け噛み物組成物。
２３．前記アントシアニンが、該アントシアニンを青に見えるようにするｐＨを有する、実施態様２２記載の食用ペット向け噛み物組成物。
２４．前記アントシアニンの供給源が赤キャベツである、実施態様２２記載の食用ペット向け噛み物組成物。
２５．前記赤キャベツの供給源が約８から９のｐＨを有する、実施態様２２記載の食用ペット向け噛み物。
２６．前記ターメリックが、該ターメリックを黄に見えるようにするｐＨを有する、実施態様２０記載の食用ペット向け噛み物組成物。
２７．前記ターメリックが４．５から６．５のｐＨを有する、実施態様２６記載の食用ペット向け噛み物組成物。
２８．前記アントシアニンが青色を提供し、前記ペット向け噛み物の前記緑色に寄与するように、該ペット向け噛み物のｐＨを安定化するように適合されたｐＨ安定剤をさらに含む、実施態様２０記載の食用ペット向け噛み物組成物。
２９．前記ｐＨ安定剤が酵素をさらに含む、実施態様２８記載の食用ペット向け噛み物組成物。
３０．前記アントシアニンと前記ターメリックの合計量が、前記噛み物の約０．００５質量％から約５．０質量％を占める、実施態様２０記載の食用ペット向け噛み物組成物。
３１．前記アントシアニンと前記ターメリックの合計量が、前記噛み物の約０．００５質量％から４．０質量％を占める、実施態様３０記載の食用ペット向け噛み物組成物。
３２．前記アントシアニンと前記ターメリックの合計量が、前記噛み物の約０．００５質量％から３．０質量％を占める、実施態様３０記載の食用ペット向け噛み物組成物。
３３．前記アントシアニンと前記ターメリックの合計量が、前記噛み物の約０．００５質量％から２．０質量％を占める、実施態様３０記載の食用ペット向け噛み物組成物。
３４．前記アントシアニンと前記ターメリックの合計量が、前記噛み物の約０．００５質量％から１．０質量％を占める、実施態様３０記載の食用ペット向け噛み物組成物。
３５．前記アントシアニンと前記ターメリックの合計量が、前記噛み物の約０．００５質量％から０．０４５質量％を占める、実施態様３０記載の食用ペット向け噛み物組成物。
３６．前記アントシアニンと前記ターメリックの組合せにより生じる緑色が、約Ｐ１６３−１４Ｕから約Ｐ１６５−１６Ｕのパントン・リファレンス範囲を有する、実施態様２０記載の食用ペット向け噛み物組成物。
３７．前記アントシアニンと前記ターメリックの組合せにより生じる緑色が、約５６０ｎｍから４９０ｎｍの波長を有する、実施態様２０記載の食用ペット向け噛み物組成物。
３８．前記アントシアニンと前記ターメリックの組合せにより生じる緑色が、５４０ＴＨｚから６１０ＴＨｚの周波数を有する、実施態様２０記載の食用ペット向け噛み物組成物。
３９．前記ペット向け噛み物の溶解度が少なくとも６０％のインビトロ消失（ＩＶＤ）である、実施態様２０記載の食用ペット向け噛み物組成物。
４０．食用ペット向け噛み物を調製する方法において、
ａ．ペット向け噛み物組成物を形成する工程であって、
該組成物の約１５から約９０質量％の量の線維性タンパク質と、
該組成物の約５から約３５質量％の量の吸水性ポリマーであって、ゲル化タンパク質、親水コロイド、食用ヒドロゲル、およびそれらの混合物からなる群より選択される吸水性ポリマーと、
該組成物の約５から約４０質量％の量の可塑剤と、
該組成物の約１から約２０質量％の量の水と、
緑色を生じる量のアントシアニンとターメリックと、
を混ぜ合わせることによる工程、
ｂ．前記ペット向け噛み物組成物を可塑化する工程、および
ｃ．可塑化された前記ペット向け噛み物組成物を成形して、前記ペット向け噛み物を形成する工程、
を有してなる方法。
４１．前記アントシアニンとターメリックが、どの液体成分もどの乾燥成分と組み合わされる前に、前記水と混合される、実施態様４０記載の方法。
４２．前記アントシアニンとターメリックが、グリセリンと水の混合物中に計量され、次いで、前記乾燥成分に加えられる、実施態様４１記載の方法。
４３．緑色を生じる量のアントシアニンとターメリックを含む天然のペット向け噛み物。
４４．天然由来の緑色を生じる量のアントシアニンとターメリックを含むペット向け噛み物。
４５．前記アントシアニンが、ブルーベリー、クランベリー、ビルベリーなどのスノキ属；ブラックラズベリー、レッドラズベリー、およびブラックベリーを含むキイチゴ属；クロフサスグリ；チェリー；なすの皮；う稲；コンコードブドウ；マスカダインブドウ；赤キャベツ；紫色の花弁；黒豆；ブラックチョコベリーの皮；アサイー(Amazonian palm berry)；ブラッドオレンジ；マリオンブラックベリー；チェリー；アカフサスグリ；紫トウモロコシ；およびアサイー(acai)からなる群に由来する、実施態様４４記載の天然のペット向け噛み物。
４６．前記ターメリックが粉末形態で提供される、実施態様４５記載の天然のペット向け噛み物。